(57)【要約】【課題】電子機器用のノブ照明構造において、操作ノブを回転スイッチに装着するための部品が操作ノブと別部材に構成されている構造に比して部品点数を削減する。【解決手段】ノブ照明構造１００は、電子機器２００の本体部の内部の基板４に実装されている光源５と、根元部３１が基板４に実装されており、かつ、先端部３２が本体部の外部に配置されている回転スイッチ３と、先端部３２に装着されており、かつ、回転スイッチ３のうちの本体部に対する突出部を覆う形状を有しており、かつ、透光性材料を用いた一体成形品である操作ノブ７と、操作ノブ７の天面部７１に形成された凹部７４に収容されている透光板９とを備える。【選択図】図４
2020009664.tif 000002
【特許請求の範囲】
【請求項１】
電子機器の本体部の内部の基板に実装されている光源と、
根元部が前記基板に実装されており、かつ、先端部が前記本体部の外部に配置されている回転スイッチと、
前記先端部に装着されており、かつ、前記回転スイッチのうちの前記本体部に対する突出部を覆う形状を有しており、かつ、透光性材料を用いた一体成形品である操作ノブと、
前記操作ノブの天面部に形成された凹部に収容されている透光板と、
を備えるノブ照明構造。
【請求項２】
前記光源と前記透光板との間にプリズム又は光拡散シートが設けられていることを特徴とする請求項１記載のノブ照明構造。
【請求項３】
前記透光板に所定形状の透光パターンが形成されていることを特徴とする請求項１又は請求項２記載のノブ照明構造。
【請求項４】
前記光源が発光ダイオードにより構成されていることを特徴とする請求項１から請求項３のうちのいずれか１項記載のノブ照明構造。
【請求項５】
前記操作ノブにおける前記光源の発した光が入射する部位及び前記光が出射する部位に対する残余の部位は、蒸着膜又はコーティング層が設けられていることを特徴とする請求項１から請求項４のうちのいずれか１項記載のノブ照明構造。
【請求項６】
当該電子機器の本体部の内部の基板に実装されている光源と、
根元部が前記基板に実装されており、かつ、先端部が前記本体部の外部に配置されている回転スイッチと、
前記先端部に装着されており、かつ、前記回転スイッチのうちの前記本体部に対する突出部を覆う形状を有しており、かつ、透光性材料を用いた一体成形品である操作ノブと、
前記操作ノブの天面部に形成された凹部に収容されている透光板と、
を備える車載用の電子機器。
【発明の詳細な説明】
【技術分野】
【０００１】
本発明は、ノブ照明構造及び電子機器に関する。
【背景技術】
【０００２】
従来、電子機器の操作入力部において、回動自在なスイッチ（以下「回転スイッチ」という。）に操作用のノブ（以下「操作ノブ」という。）を装着してなる構造が開発されている。また、電子機器の内部に設けられている光源が操作ノブを照明することにより、操作ノブを発光させる構造が開発されている（例えば、特許文献１参照。）。以下、操作ノブを照明することにより操作ノブを発光させる構造を「ノブ照明構造」という。
【先行技術文献】
【特許文献】
【０００３】
【特許文献１】実開平０３−１２７２９４号公報
【発明の概要】
【発明が解決しようとする課題】
【０００４】
特許文献１記載の構造は、操作ノブ（外ノブ２及び内ノブ３）の一部が透明部材により構成されており、これらの透明部材により構成されている部位（指標２ａ及び指標３ａ）を発光させるものである。
【０００５】
ここで、特許文献１記載の構造は、操作ノブ（外ノブ２及び内ノブ３）を回転スイッチ（外軸２１及び内軸２２）に装着するための部品（内ノブライトガイド４及びノブハウジング５）であって、光源（光源２４）の発した光を操作ノブ（外ノブ２及び内ノブ３）に導くための部品（内ノブライトガイド４及びノブハウジング５）を有している。これらの部品（内ノブライトガイド４及びノブハウジング５）が操作ノブ（外ノブ２及び内ノブ３）と別部材に構成されていることにより、部品点数が増加する問題があった。
【０００６】
本発明は、上記のような課題を解決するためになされたものであり、電子機器用のノブ照明構造において、操作ノブを回転スイッチに装着するための部品が操作ノブと別部材に構成されている構造に比して部品点数を削減することを目的とする。
【課題を解決するための手段】
【０００７】
本発明のノブ照明構造は、電子機器の本体部の内部の基板に実装されている光源と、根元部が基板に実装されており、かつ、先端部が本体部の外部に配置されている回転スイッチと、先端部に装着されており、かつ、回転スイッチのうちの本体部に対する突出部を覆う形状を有しており、かつ、透光性材料を用いた一体成形品である操作ノブと、操作ノブの天面部に形成された凹部に収容されている透光板とを備えるものである。
【発明の効果】
【０００８】
本発明によれば、上記のように構成したので、電子機器用のノブ照明構造において、操作ノブを回転スイッチに装着するための部品が操作ノブと別部材に構成されている構造に比して部品点数を削減することができる。
【図面の簡単な説明】
【０００９】
【図１】実施の形態１に係るノブ照明構造の要部を示す分解斜視図である。
【図２】実施の形態１に係る電子機器の要部を示す分解斜視図である。
【図３】実施の形態１に係る電子機器のうちの操作ノブが設けられている部位を示す正面図である。
【図４】図３に示すＡ−Ａ’線に沿う断面図である。
【図５】操作ノブにおけるマスキング部の例を示す説明図である。
【図６】操作ノブにおけるマスキング部の他の例を示す説明図である。
【発明を実施するための形態】
【００１０】
実施の形態１．
図１は、実施の形態１に係るノブ照明構造の要部を示す分解斜視図である。図２は、実施の形態１に係る電子機器の要部を示す分解斜視図である。図３は、実施の形態１に係る電子機器のうちの操作ノブが設けられている部位を示す正面図である。図４は、図３に示すＡ−Ａ’線に沿う断面図である。図５は、操作ノブにおけるマスキング部の例を示す説明図である。図１〜図５を参照して、実施の形態１のノブ照明構造１００について、車載用の電子機器２００に設けられている例を中心に説明する。
【００１１】
略箱状の筐体（不図示）の前面開口部に略矩形枠状のパネル１が設けられており、この開口面に沿うようにして略矩形板状のカバーパネル２が設けられている。これにより、略直方体状の電子機器２００の本体部が構成されている。以下、電子機器２００の本体部を単に「本体部」という。
【００１２】
本体部は、例えば、自動車（不図示）のダッシュボードに設けられている凹部に収容されるものである。また、本体部が当該凹部に収容されている状態にて、カバーパネル２を含む部位、すなわち前面部が車室内に露出している状態となるものである。
【００１３】
カバーパネル２に貫通孔２１が穿たれており、パネル１における貫通孔２１に対応する位置に貫通孔１１が穿たれている。これらの貫通孔１１，２１に略棒状の回転スイッチ３が回動自在に通されている。図４に示す如く、回転スイッチ３のうちの根元部３１を含む略半部は本体部内に配置されており、回転スイッチ３のうちの先端部３２を含む略半部は本体部外に配置されている。
【００１４】
回転スイッチ３の根元部３１は基板４に実装されている。また、基板４における根元部３１に対する近傍の位置に複数個の光源５（より具体的には２個の光源５ａ，５ｂ）が実装されている。個々の光源５は、例えば、発光ダイオード（Ｌｉｇｈｔ  Ｅｍｉｔｔｉｎｇ  Ｄｉｏｄｅ）により構成されている。基板４は、例えば、ネジ（不図示）によりパネル１に固定されている。すなわち、基板４は本体部内に配置されており、光源５も本体部内に配置されている。図４における矢印Ｐ１〜Ｐ３は、光源５ａの発した光が通る経路の例を示している。
【００１５】
回転スイッチ３は略円筒状のプリズム６に回動自在に通されており、プリズム６はパネル１の貫通孔１１に通されている。プリズム６は、例えば、ネジ（不図示）によりパネル１に固定されている。プリズム６は、光源５の発した光を集光することにより、ノブ照明構造１００における光の利用効率を向上して、ノブ照明構造１００による発光を明るくする機能を果たすものである。
【００１６】
回転スイッチ３の先端部３２に操作ノブ７が装着されている。操作ノブ７は、回転スイッチ３のうちの本体部外に突出している部位（以下「突出部」という。）を覆うような形状を有している。
【００１７】
より具体的には、操作ノブ７は、略円板状の天面部７１と、天面部７１に垂設されている二重の略円筒状の部位（以下「筒状部」という。）７２，７３とを有している。以下、当該二重の筒状部７２，７３のうちの内側の筒状部７２を「内筒状部」といい、当該二重の筒状部７２，７３のうちの外側の筒状部７３を「外筒状部」という。内筒状部７２に回転スイッチ３の先端部３２が嵌入されていることにより、操作ノブ７が回転スイッチ３に固定されている。これにより、ユーザが操作ノブ７を回動させたとき、回転スイッチ３が操作ノブ７と一体に回動するようになっている。図４及び図５における軸Ａは、回転スイッチ３の回動軸、すなわち操作ノブ７の回動軸を示している。
【００１８】
ここで、操作ノブ７は、天面部７１、内筒状部７２及び外筒状部７３を含む全体が一体成形品である。また、操作ノブ７は、天面部７１、内筒状部７２及び外筒状部７３を含む全体が透光性材料（例えば透明樹脂）により構成されている。
【００１９】
操作ノブ７は、光源５の発した光が入射する部位及び当該光が出射する部位を除き、蒸着（より具体的には金属を用いた鏡面蒸着）による表面処理がなされたものである。これに対して、操作ノブ７における当該光が入射する部位及び当該光が出射する部位は、当該蒸着に対するマスキングがなされたものである。以下、操作ノブ７における当該蒸着がなされた部位を「蒸着部」といい、操作ノブ７における当該マスキングがなされた部位を「マスキング部」という。すなわち、マスキング部は光を透過する部位であり、蒸着部は光を透過しない部位（より具体的には光を反射又は吸収する部位）である。
【００２０】
図５に、操作ノブ７におけるマスキング部の例を示す。図中、波線を付した部位がマスキング部であり、残余の部位が蒸着部である。
【００２１】
操作ノブ７の天面部７１に凹部（以下「第１凹部」という。）７４が形成されており、第１凹部７４の底面部に更に凹部（以下「第２凹部」という。）７５が形成されている。すなわち、操作ノブ７の天面部７１に二段の凹部７４，７５が形成されている。第２凹部７５に光拡散シート８が収容されており、第１凹部７４に略円板状の透光性部材（以下「透光板」という。）９が収容されている。透光板９は、例えば、乳白色の半透明樹脂により構成されている。
【００２２】
ここで、第２凹部７５の深さは光拡散シート８の肉厚と同等の値に設定されている。これにより、光拡散シート８の裏面部８１が第２凹部７５の底面部７６に当接しており、かつ、光拡散シート８の表面部８２が透光板９の裏面部９１に当接している。光拡散シート８は、いわゆる両面テープの機能を果たすものである。すなわち、光拡散シート８により透光板９が操作ノブ７に貼り付けられている。また、光拡散シート８は、プリズム６により集光された光を拡散して、ノブ照明構造１００による発光を均一にする機能を果たすものである。
【００２３】
また、第１凹部７４の深さは透光板９の肉厚と同等の値に設定されている。このため、透光板９の側面部９２の略全体が第１凹部７４の内壁部７７と対向している。これにより、ユーザが操作ノブ７を回動させるとき、当該ユーザの指等が側面部９２に接触するのを防ぐことができる。この結果、当該接触により透光板９が操作ノブ７から剥がれるのを防ぐことができる。
【００２４】
透光板９の表面部９３又は裏面部９１のうちのいずれか一方は、塗装（より具体的にはピアノ塗装）による表面処理がなされている。当該塗装に対するレーザ抜きにより、所定形状（例えばリング状）の透光パターンが形成されている。すなわち、当該面部における透光パターンは光を透過する部位であり、当該面部における残余の部位は光を透過しない部位（より具体的には光を反射又は吸収する部位）である。
【００２５】
第１凹部７４に収容された透光板９の表面部９３又は裏面部９１に所定形状の透光パターンが形成されていることにより、光源５が光を発したとき、ユーザからは操作ノブ７の天面部が所定形状に発光しているように見える。この結果、夜間等の暗い環境における操作を容易にすることができるのはもちろんのこと、操作ノブ７の意匠性を向上することができる。
【００２６】
上記のとおり、図４における矢印Ｐ１〜Ｐ３は、光源５ａの発した光が通る経路の例を示している。図４に示す如く、光源５ａの発した光は、プリズム６、操作ノブ７の天面部７１、光拡散シート８及び透光板９を順次通過する。このとき、当該光が天面部７１を通過することができるのは、図５に示す波線を付した部位に対するマスキングによるものである。すなわち、内筒状部７２の外周部、外筒状部７３の内周部、第２凹部７５の底面部７６、及び天面部７１におけるプリズム６に対する対向面部にマスキングがなされたものであるところ、底面部７６及び当該対向面部に対するマスキングにより当該光が天面部７１を通過することができる。また、当該光が透光板９に入射するときに透光板９の裏面部９１に形成されている透光パターンを通るか、又は当該光が透光板９から出射するときに透光板９の表面部９３に形成されている透光パターンを通るようになっている。
【００２７】
回転スイッチ３、基板４、光源５、プリズム６、操作ノブ７、光拡散シート８及び透光板９により、ノブ照明構造１００の要部が構成されている。筐体（不図示）、パネル１、カバーパネル２及びノブ照明構造１００により、電子機器２００の要部が構成されている。
【００２８】
このように、操作ノブ７は、操作ノブ７を回転スイッチ３に装着するための部位、すなわち内筒状部７２を含む全体が一体成形品である。これにより、操作ノブを回転スイッチに装着するための部品が操作ノブと別部材に構成されている構造、すなわち従来の構造に比して部品点数を削減することができる。
【００２９】
なお、操作ノブ７は、外筒状部７３の外周部に所定形状のマスキング部が設けられているものであっても良い。例えば、図６に示す如く、外筒状部７３の外周部に二重リング状のマスキング部が設けられているものであっても良い。これにより、光源５が光を発したとき、ユーザからは操作ノブ７の外周部が所定形状に発光しているように見える。この結果、操作ノブ７の意匠性を更に向上することができる。
【００３０】
また、透光板９における透光パターンの形状はリング状に限定されるものではなく、如何なる形状であっても良い。例えば、透光板９の表面部９３又は裏面部９１のうちのいずれか一方に、文字状の透光パターンが形成されているものであっても良い。また、外筒状部７３の外周部におけるマスキング部の形状は二重リング状に限定されるものではなく、如何なる形状であっても良い。透光板９における透光パターンの形状と外筒状部７３の外周部におけるマスキング部の形状との組み合わせに応じて、操作ノブ７における多様な発光形状を実現することができる。
【００３１】
また、透光板９における透光パターンの形成方法は、塗装及び当該塗装に対するレーザ抜きに限定されるものではない。例えば、透光板９の表面部９３又は裏面部９１のうちのいずれか一方に、印刷による非透光パターンが形成されているものであっても良い。当該印刷に対するマスキングにより、所定形状（例えばリング状）の透光パターンが形成されているものであっても良い。
【００３２】
また、操作ノブ７における光を透過する部位及び光を透過しない部位の形成方法は、蒸着及び当該蒸着によるマスキングに限定されるものでない。例えば、操作ノブ７は、透光板９と同様の塗装及び当該塗装に対するレーザ抜きにより、又は透光板９と同様の塗装及び当該塗装に対するマスキングにより、これらの部位が形成されているものであっても良い。換言すれば、操作ノブ７の表面部のうちの光が入射する部位及び光が出射する部位を除く残余の部位は、蒸着膜により形成されたものであっても良く、又は塗装によるコーティング層により形成されたものであっても良い。
【００３３】
また、操作ノブ７は、天面部７１及び外筒状部７３が透光性材料（例えば透明樹脂）により構成されているのに対して、内筒状部７２が非透光性材料（例えば不透明樹脂）により構成されているものであっても良い。この場合、操作ノブ７は、いわゆる二色成形による一体成形品であっても良い。すなわち、操作ノブ７の全体が一体成形品であるところ、この一体成形品のうちの少なくとも一部（例えば天面部７１及び外筒状部７３）が透光性材料を用いたものであれば良い。
【００３４】
また、ノブ照明構造１００は、光拡散シート８を除去してなるものであっても良い。この場合、操作ノブ７と透光板９間に両面テープが設けられており、この両面テープにより透光板９が操作ノブ７に貼り付けられているものであっても良い。また、ノブ照明構造１００は、プリズム６を除去してなるものであっても良い。この場合、プリズム６に代えて略円環状の光拡散シート（不図示）が設けられており、この光拡散シートに回転スイッチ３が通されているものであっても良い。
【００３５】
すなわち、ノブ照明構造１００は、光源５と透光板９間に、任意の枚数の光拡散シートが設けられているものであっても良く、又は設けられていないものであっても良い。また、ノブ照明構造１００は、光源５と透光板９間に、任意の個数のプリズムが設けられているものであっても良く、又は設けられていないものであっても良い。プリズムの有無及び個数は、例えば、基板４における光源５の個数及び位置などに応じて、ノブ照明構造１００による発光の明るさが要求仕様を満たすものとなるように設定される。光拡散シートの有無及び枚数は、例えば、基板４における光源５の個数及び位置などに応じて、ノブ照明構造１００による発光の均一性が要求仕様を満たすものとなるように設定される。すなわち、光源５の個数は２個に限定されるものではない。
【００３６】
また、回転スイッチ３は、回動自在であるのに加えて押下自在なものであっても良い。すなわち、回転スイッチ３は、回転スイッチの機能に加えて、いわゆる押下スイッチの機能を果たすものであっても良い。この場合、回転スイッチ３が押下されている状態においては、回転スイッチ３の先端部３２が本体部内に配置されるものであっても良い。
【００３７】
以上のように、実施の形態１のノブ照明構造１００は、電子機器２００の本体部の内部の基板４に実装されている光源５と、根元部３１が基板４に実装されており、かつ、先端部３２が本体部の外部に配置されている回転スイッチ３と、先端部３２に装着されており、かつ、回転スイッチ３のうちの本体部に対する突出部を覆う形状を有しており、かつ、透光性材料を用いた一体成形品である操作ノブ７と、操作ノブ７の天面部７１に形成された凹部７４に収容されている透光板９とを備える。操作ノブ７が一体成形品であるため、操作ノブを回転スイッチに装着するための部品が操作ノブと別部材に構成されている従来の構造に比して、部品点数を削減することができる。また、操作ノブ７が透光性材料を用いたものであるため、光源５の発した光を操作ノブ７が透光板９に導くことができるのはもちろんのこと、操作ノブ７に対する表面処理により操作ノブ７の外周部を任意の形状に発光させることができる。この結果、夜間等の暗い環境における操作を容易にすることができるのはもちろんのこと、操作ノブ７の意匠性を向上することができる。また、透光板９が第１凹部７４に収容されているため、ユーザの指等が透光板９の側面部９２に接触するのを防ぐことができる。この結果、当該接触により透光板９が操作ノブ７から剥がれるのを防ぐことができる。
【００３８】
また、光源５と透光板９との間にプリズム又は光拡散シートが設けられている。プリズムを設けることにより、ノブ照明構造１００による発光を明るくすることができる。光拡散シートを設けることにより、ノブ照明構造１００による発光を均一にすることができる。
【００３９】
また、透光板９に所定形状の透光パターンが形成されている。第１凹部７４に収容された透光板９に所定形状の透光パターンが形成されていることにより、ユーザからは操作ノブ７の天面部が所定形状に発光しているように見える。この結果、操作ノブ７の意匠性を向上することができる。
【００４０】
また、光源５が発光ダイオードにより構成されている。これにより、光源５を安価に実現することができる。また、発光ダイオードの色に応じて、ノブ照明構造１００による発光の色を任意の色に設定することができる。
【００４１】
また、操作ノブ７における光源５の発した光が入射する部位及び光が出射する部位に対する残余の部位は、蒸着膜又はコーティング層が設けられている。これにより、光源５の発した光を操作ノブ７が透光板９に導くことができるのはもちろんのこと、操作ノブ７の外周部を任意の形状に発光させることができる。この結果、夜間等の暗い環境における操作を容易にすることができるのはもちろんのこと、操作ノブ７の意匠性を向上することができる。
【００４２】
また、実施の形態１の電子機器２００は、電子機器２００の本体部の内部の基板４に実装されている光源５と、根元部３１が基板４に実装されており、かつ、先端部３２が本体部の外部に配置されている回転スイッチ３と、先端部３２に装着されており、かつ、回転スイッチ３のうちの本体部に対する突出部を覆う形状を有しており、かつ、透光性材料を用いた一体成形品である操作ノブ７と、操作ノブ７の天面部７１に形成された凹部７４に収容されている透光板９とを備える車載用の電子機器２００である。これにより、車載用の電子機器２００において、ノブ照明構造１００による上記効果と同様の効果を得ることができる。
【００４３】
なお、本願発明はその発明の範囲内において、実施の形態の任意の構成要素の変形、もしくは実施の形態の任意の構成要素の省略が可能である。
【符号の説明】
【００４４】
１  パネル、２  カバーパネル、３  回転スイッチ、４  基板、５  光源、６  プリズム、７  操作ノブ、８  光拡散シート、９  透光板、１１  貫通孔、２１  貫通孔、３１  根元部、３２  先端部、７１  天面部、７２  筒状部（内筒状部）、７３  筒状部（外筒状部）、７４  凹部（第１凹部）、７５  凹部（第２凹部）、７６  底面部、７７  内壁部、８１  裏面部、８２  表面部、９１  裏面部、９２  側面部、９３  表面部、１００  ノブ照明構造、２００  電子機器。
【図１】
2020009664.tif 000003
【図２】
2020009664.tif 000004
【図３】
2020009664.tif 000005
【図４】
2020009664.tif 000006
【図５】
2020009664.tif 000007
【図６】
2020009664.tif 000008